(57)【要約】【課題】搬送コンベヤで搬送される、鱗列状にされたスライス肉群を、姿勢を乱れさせないで整然とトレーに盛り付けるスライス肉盛付装置を提供する。【解決手段】１パック分量ごとに仕分けされて搬送コンベヤで搬送されるスライス肉群を一旦、直線的に進退自在の移載ベルトに移載させてから、移載ベルトを後退させて下方のトレー内に移載して盛り付けるスライス肉盛付装置において、移載ベルトの横幅は、トレーの内底の幅より狭く形成されていて、スライス肉群が移載された移載ベルトの先端部とトレーの内底とが近接するように、移載ベルトまたはトレーの少なくともいずれか一方が傾けられた状態で、移載ベルトを後退させて、スライス肉群をトレー内に移載し盛り付けるようにした。【選択図】図２
2020040726.tif 000002
【特許請求の範囲】
【請求項１】
１パック分量ごとに仕分けされて搬送コンベヤで搬送されるスライス肉群を一旦、直線的に進退自在の移載ベルトに移載させてから、移載ベルトを後退させて下方のトレー内に移載して盛り付けるスライス肉盛付装置において、
移載ベルトの横幅は、トレーの内底の幅より狭く形成されていて、
スライス肉群が移載された移載ベルトの先端部とトレーの内底とが近接するように、移載ベルトまたはトレーの少なくともいずれか一方が傾けられた状態で、
移載ベルトを後退させて、スライス肉群をトレー内に移載し盛り付けるようにしたことを特徴とするスライス肉盛付装置。
【請求項２】
スライス肉群が、後続のスライス肉の一部を前のスライス肉に重ねた鱗列状にされたものであって、該スライス肉群を、搬送時の姿勢を保って先頭のスライス肉からトレー内に移載させるようにしたことを特徴とする請求項１に記載のスライス肉盛付装置。
【請求項３】
移載ベルトを支持する支持枠が搬送コンベヤの下流側に配設され、
移載ベルトが、先端部がトレーの内底に近接するよう下方に向けて傾けられることを特徴とする請求項１に記載のスライス肉盛付装置。
【請求項４】
移載ベルトを支持する支持枠が搬送コンベヤの下方位置に配設され、
トレーが、内底が搬送コンベヤに対向するよう傾けられることを特徴とする請求項１に記載のスライス肉盛付装置。
【請求項５】
搬送コンベヤは終端部がシャトルコンベヤとされ、シャトルコンベヤから進出状態にある移載ベルトにスライス肉群が移載されることを特徴とする請求項１から４のいずれか１項に記載のスライス肉盛付装置。
【請求項６】
移載ベルトは、支持枠に進退自在に支持された移動板の前後方向に掛け回され、進退手段により移動板とともに直線的に進退自在とされていて、
搬送コンベヤによるスライス肉群の搬送に同期してスライス肉群が移載ベルトに移載されるように構成されたことを特徴とする請求項３または４に記載のスライス肉盛付装置。
【請求項７】
移載ベルトの後退に追従して移載ベルトの先端部とトレーの内底とが近接した状態を維持させる追従手段が設けられていることを特徴とする請求項１から６のいずれか１項に記載のスライス肉盛付装置。
【請求項８】
追従手段が、移載ベルトを支持し移載ベルトの後退に連動してトレーの内底に近接するように下降させる昇降手段からなることを特徴とする請求項７に記載のスライス肉盛付装置。
【請求項９】
追従手段が、移載ベルトの先端部とトレーの内底とを近接させる方向に弾性的に付勢する、移載ベルトまたはトレーの支持部に装着された弾機からなることを特徴とする請求項７に記載のスライス肉盛付装置。
【請求項１０】
搬送コンベヤでは、平行な複数条列のスライス肉群が搬送されていて、それぞれのスライス肉群の条列に対向して個別に移載ベルトが設けられることを特徴とする請求項１から９のいずれか１項に記載のスライス肉盛付装置。
【発明の詳細な説明】
【技術分野】
【０００１】
この発明は、牛や豚など食肉が薄切りされたスライス肉を販売用のトレーに盛り付ける盛付装置に関する。
【背景技術】
【０００２】
本発明に関連する従来のスライス肉のトレー盛付装置としては、例えば特許文献１に開示されたものがある。
この文献には、鱗列状にされたスライス肉群を搬送する搬送ベルト（本発明の「搬送コンベヤ」に相当）の搬送側のローラーが後退してスライス肉群を受皿（トレー）に落下させて盛り付ける構成が開示されている。
しかしながら、この構成では、搬送ベルトにおけるスライス肉群の剥離される位置から受皿の内底（内側の底面）までの落差があり、剥離されるスライス肉群は受皿に沿うことなく落下されるので、搬送されたままの姿勢を保って整然と盛り付けることは難しかった。
【先行技術文献】
【特許文献】
【０００３】
【特許文献１】特開平４−６９１９６号公報
【発明の概要】
【発明が解決しようとする課題】
【０００４】
本発明は、前述のような問題点に鑑み、搬送コンベヤで搬送される、鱗列状にされたスライス肉群を、姿勢を乱れさせないで整然とトレーに盛り付けるスライス肉盛付装置を提供することを目的としている。
【課題を解決するための手段】
【０００５】
本発明は、１パック分量ごとに仕分けされて搬送コンベヤで搬送されるスライス肉群を一旦、直線的に進退自在の移載ベルトに移載させてから、移載ベルトを後退させて下方のトレー内に移載して盛り付けるスライス肉盛付装置において、
移載ベルトの横幅は、トレーの内底の幅より狭く形成されていて、
スライス肉群が移載された移載ベルトの先端部とトレーの内底とが近接するように、移載ベルトまたはトレーの少なくともいずれか一方が傾けられた状態で、
移載ベルトを後退させて、スライス肉群をトレー内に移載し盛り付けるようにしたことを特徴とするスライス肉盛付装置としている。
【０００６】
また、スライス肉群が、後続のスライス肉の一部を前のスライス肉に重ねた鱗列状にされたものであって、該スライス肉群を、搬送時の姿勢を保って先頭のスライス肉からトレー内に移載させることが好ましい。
【０００７】
更に、移載ベルトを支持する支持枠が搬送コンベヤの下流側に配設され、移載ベルトが、先端部がトレーの内底に近接するよう下方に向けて傾けられる構成、
或いは、移載ベルトを支持する支持枠が搬送コンベヤの下方位置に配設され、トレーが、内底が搬送コンベヤに対向するよう傾けられる構成とされることが好ましい。
【０００８】
また、搬送コンベヤは終端部がシャトルコンベヤとされ、シャトルコンベヤから進出状態にある移載ベルトにスライス肉群が移載されることが好ましく、
加えて、移載ベルトは、支持枠に進退自在に支持された移動板の前後方向に掛け回され、進退手段により移動板とともに直線的に進退自在とされていて、搬送コンベヤによるスライス肉群の搬送に同期してスライス肉群が移載ベルトに移載されるように構成されることが好ましい。
【０００９】
また、移載ベルトの後退に追従して移載ベルトの先端部とトレーの内底とが近接した状態を維持させる追従手段が設けられていることが好ましく、
追従手段が、移載ベルトを支持し移載ベルトの後退に連動してトレーの内底に近接するように下降させる昇降手段からなること、
或いは、追従手段が、移載ベルトの先端部とトレーの内底とを近接させる方向に弾性的に付勢する、移載ベルトまたはトレーの支持部に装着された弾機からなることが好ましい。
【００１０】
更に、搬送コンベヤには、平行な複数条列のスライス肉群が搬送されていて、それぞれのスライス肉群の条列に対向して個別に移載ベルトが設けられることが好ましい。
【発明の効果】
【００１１】
搬送コンベヤで搬送される、鱗列状にされたスライス肉群を一旦、移載ベルトに移載させてから、移載ベルトの先端部とトレーの内底とを近接させた状態で移載ベルトを後退させて盛り付けるようにしたので、先頭のスライス肉からトレーの内底に付着した状態となってずれにくいため、移載ベルトの後退に伴う引かれによる姿勢の乱れもなく、スライス肉群は整然と盛り付けられる。
【図面の簡単な説明】
【００１２】
【図１】本発明に係るスライス肉盛付装置の実施例１における要部を示す側面図である。
【図２】図１において、移載ベルトが傾けられて、移載ベルトの先端部がトレーの内底に近接された状態を示す。
【図３】図２において、移載ベルトが後退するにつれ、移載ベルトの支持枠を支持する昇降手段が下降して、移載ベルトが仮想線表示の状態から実線表示の状態まで引き下げられ、移載ベルトの先端部とトレーの内底との近接した状態が維持された状態を示す。
【図４】図１の平面図である。
【図５】実施例２におけるスライス肉盛付装置の要部を示す側面図である。
【図６】図５において、トレーが傾けられて、トレーの内底と移載ベルトの先端部とが近接された状態を示す。
【図７】図６において、移載ベルトが後退するにつれ、移載ベルトの支持枠を支持する昇降手段が下降して、移載ベルトが仮想線表示の状態から実線表示の状態まで引き下げられ、移載ベルトの先端部とトレーの内底との近接した状態が維持された状態を示す。
【図８】図７におけるスライス肉群のトレー内への移載始めの状態を拡大して示す説明図である。
【図９】追従手段の一例を示す側面図である。
【図１０】追従手段の他の一例を示す側面図である。
【発明を実施するための形態】
【００１３】
本発明に係るスライス肉盛付装置の実施例１について、図１から４に基づき説明する。
【００１４】
搬送コンベヤ１は、図示しない食肉スライサーで食肉がスライスされ、これも図示しない折り畳み装置で略中心部から２つに折り畳まれ、折り畳み線を前（搬送コンベヤ１の下流側）にして後続のスライス肉ｍの一部を鱗状に重ねた鱗列状にされ、１パック分量（１個のトレー３に盛り付けられる分量）ごとに仕分けされたスライス肉群Ｍを終端部まで搬送する。
尚、スライス肉群Ｍは、折り畳まれずに鱗列状にされたものであっても、単一のスライス肉であってもよい。
【００１５】
搬送コンベヤ１は、図４に示されるように、平行な２条列のスライス肉群Ｍ、Ｍを搬送する構成とされているが、条列数は限定されない。
【００１６】
搬送コンベヤ１の終端部には、搬送コンベヤ１を走行させるローラーと同方向に回転する剥離ローラー２が、搬送コンベヤ１の表面に近接して設けられており、スライス肉ｍの持回りを防止している。
【００１７】
また、搬送コンベヤ１の終端部は、搬送コンベヤ１の下流側へ向けて下降するよう緩やかに傾斜されるとともに、詳細な表示は省略するが、図１に仮想線表示したように、水平方向に所定距離だけ進退するシャトルコンベヤとされる。
【００１８】
詳細な表示は省略するが、この搬送コンベヤ１の終端部の下方に、搬送コンベヤ１に直交してトレー３を供給するトレー供給装置４が設けられている。
【００１９】
搬送コンベヤ１の終端部における下面とトレー３との間には、それぞれのスライス肉群Ｍの条列に対向して個別に移載ベルト５が設けられ、図１で示されるように、搬送コンベヤ１の終端部が後退することで、スライス肉群Ｍが移載ベルト５に移載される。
【００２０】
この移載ベルト５は、少なくとも１パック分量のスライス肉群Ｍが載置可能な、スライス肉群Ｍの搬送方向における長さと横幅Ｂを有する。横幅Ｂは、スライス肉ｍの横幅に対応されているとともに、スライス肉群Ｍが盛り付けられるトレー３の内底の幅より狭く形成されている。そのため、スライス肉群Ｍの条列数の単複に係らず、移載ベルト５を、搬送コンベヤ１の両側板を支障とすることなく、搬送コンベヤ１の下面に近接させ、且つ、それぞれのスライス肉群Ｍの条列に対向させて設置できる。
【００２１】
本実施例における移載ベルト５は、支持枠７に進退自在に支持された移動板６の前後方向に掛け回されるとともに、スライス肉ｍとの接触面（移動板６の上面）側の一部が支持枠７に固着されていて、進退手段８によって移動板６が支持枠７に対して直線的に進退することに伴い進退するよう構成された公知のものである。実施例１では図１に示されるように、支持枠７が搬送コンベヤ１の下流側に配設されており、移載ベルト５が進出した状態で搬送コンベヤ１からスライス肉群Ｍが移載されるように構成される。
【００２２】
また、支持枠７には、支持枠７のトレー３近くの両側を回動自在に支持する支持具９が設けられる。この支持具９は、下端部が機体に固着された昇降手段（ａ）１０の上端部に固着されている。
【００２３】
更に、支持枠７には、支持具９による支持部とは異なる場所で支持枠７の両側を回動自在に支持する支持具１３が設けられる。支持具１３は、支持具９による支持枠７の支持部を中心として移載ベルト５を傾動させる昇降手段（ｂ）１１の上端部に固着されており、この昇降手段（ｂ）１１の下端部は支持具９に支持されている。
【００２４】
実施例１では図４に示されるように、搬送コンベヤ１によって平行な２条列のスライス肉群Ｍ、Ｍが搬送され、それぞれのスライス肉群Ｍの条列に対向して個別に移載ベルト５、５が設けられている。
このように構成すれば、前述の通り移載ベルト５の横幅Ｂはトレー３の内底の幅未満とされていることから、移載ベルト５、５を、搬送コンベヤ１の両側板を支障とせずに搬送コンベヤ１の下面に近接させることができる。ひいては、剥離ローラー２の効果と相俟って、スライス肉群Ｍを、搬送時の姿勢を乱すことなく良好に、搬送コンベヤ１から移載ベルト５に移載させることができる。
【００２５】
このように構成された実施例１における盛付装置の作動について、図に基づき説明する。
図１に実線で示されているのが、搬送コンベヤ１の終端部が後退して、スライス肉群Ｍが搬送時の姿勢を保ったまま、進出状態にある移載ベルト５上に移載された状態である。この時、移載ベルト５は水平状態であり、スライス肉群Ｍは、搬送コンベヤ１の上流側のスライス肉ｍ、即ち、スライス肉群Ｍの後尾のスライス肉ｍが移載ベルト５の先端部にくるよう移載されている。
【００２６】
次いで、移載ベルト５が、先端部がトレー３の内底に近接するまで傾動される。この傾動は図２に示されるように、支持具９による支持枠７の支持部を中心とした、昇降手段（ｂ）１１による傾動である。
ここでいう「近接する」とは、移載ベルト５の先端部とトレー３の内底とが、僅かに接触する程度が最も好ましいが、スライス肉ｍの厚み程度の僅かな間隙を有する状態から、悪くとも移載ベルト５の先端部がトレー３の上縁以下のトレー３内に保持されることを意味している。
【００２７】
続いて、進退手段８による移動板６の後退が始まると、同時に、スライス肉ｍとの接触面側の一部が支持枠７に固着された移載ベルト５も、スライス肉ｍから接触面を剥がすように後退する。すると、移載ベルト５の先端部にあるスライス肉群Ｍの後尾のスライス肉ｍを先頭として、移載ベルト５上のスライス肉群Ｍのトレー３への移載が開始される。スライス肉群Ｍは、先頭（スライス肉群Ｍの後尾）のスライス肉ｍから順次、トレー３の内底に付着しながら移載されていくため、スライス肉群Ｍは搬送時の姿勢を保ったままトレー３に盛り付けられる。
【００２８】
このような構成においては、図３に仮想線表示されるように、移載ベルト５の先端部がトレー３の内底に近接された状態から、移載ベルト５が後退する。しかし、移載ベルト５が後退するにつれ、移載ベルト５の先端部とトレー３の内底との間隙が広がってしまうため、このままで進むと後続のスライス肉ｍが内底から離れて移載されるようになり、姿勢が乱れやすい。
【００２９】
そこで、本願における請求項７から９の発明では、移載ベルト５の後退に追従して移載ベルト５の先端部とトレー３の内底とが近接した状態を維持させる追従手段が設けられている。
【００３０】
この追従手段の一例として実施例１に実施されているのは、図３の実線表示のように、支持枠７を、移載ベルト５の先端部とトレー３の内底との間隙が広がった分、昇降手段（ａ）１０で移載ベルト５の後退と連動して下降させる構成である。この構成であれば、後続のスライス肉ｍもトレー３の内底に近接させたまま移載できる。
【００３１】
移載ベルト５の後退が進み、移載ベルト５がトレー３の上縁に接当した段階で、支持枠７を下降させる昇降手段（ａ）１０の作動を停止させ、移載ベルト５のみを後退させる。この時、先行してトレー３へ移載されたスライス肉ｍの下側の一部がトレー３の内底に付着しているため、移載ベルト５の後退による後続のスライス肉ｍの引かれが防止され、姿勢を乱されずにトレー３へ盛り付けられる。
【００３２】
尚、追従手段は適宜変更可能であり、その他の追従手段の例を図９に示している。
図９における支持枠７は、トレー３近くの支持枠７の両側を回動自在に支持する支持具９’が設けられ、支持具９’は機体に固着されている。加えて、昇降手段（ｂ）１１と支持具１３との間には、移載ベルト５の先端部がトレー３の内底に近づく方向に向けて弾性的に付勢するスプリング１２が装着される。
上述の構成によれば、支持枠７は、支持具９’による支持部を中心とした傾動が自在となるよう機体に支持され、スプリング１２によって、移載ベルト５の先端部とトレー３の内底とが近接した状態を維持できる。
【００３３】
次に、実施例１と構成の一部が異なる、本発明に係るスライス肉盛付装置の実施例２について、図５から８に基づいて説明する。
【００３４】
実施例２は図５で明らかなように、実施例１と異なり、支持枠７が搬送コンベヤ１の下方位置に配設されている。つまり、移載ベルト５の向きが実施例１とは反対となり、搬送コンベヤ１側から移載ベルト５が進退する構成である。
そのため、搬送コンベヤ１の終端部が後退してスライス肉群Ｍが移載ベルト５へ移載される時、スライス肉群Ｍは、搬送コンベヤ１の下流側のスライス肉ｍ、即ち、スライス肉群Ｍの先頭のスライス肉ｍが移載ベルト５の先端部にくるよう移載される。
【００３５】
したがって、移載ベルト５からトレー３へスライス肉群Ｍが移載される時も、スライス肉群Ｍの先頭のスライス肉ｍを先頭として移載が開始される。
すると、スライス肉群Ｍが移載ベルト５からトレー３へ移載されるにあたって、実施例２では図８に示されるように、先行して移載されるスライス肉ｍ（スライス肉群Ｍの先頭のスライス肉ｍ）の下側の全面がトレー３の内底に付着しながら移載される。
【００３６】
その結果、移載ベルト５を後退させて後続のスライス肉をトレー３に移載する際、実施例１よりもトレー３の内底に付着するスライス肉ｍの下側の面積が増えるため、移載ベルト５の後退によるスライス肉の引かれがより少なくなってずれにくくなり、スライス肉群Ｍが姿勢を乱されずに整然と盛り付けられる。
【００３７】
移載ベルト５からトレー３にスライス肉群Ｍを移載させる時には、実施例１と同様に、トレー３の内底と移載ベルト５の先端部とを近接させる。
近接させるにあたって、実施例１では支持枠７を傾動させる構成であったが、実施例２においては図６、７に示されるように、トレー３を、トレー３の内底が搬送コンベヤ１に対向するよう、トレー３の支持具１５を上昇させて傾ける構成である。
【００３８】
更に、移載ベルト５とトレー３の内底との近接した状態を維持させる追従手段が設けられており、図７は実施例２における追従手段の一例である。
図７において支持枠７には、支持枠７を水平に支持する支持具１４が設けられ、支持具１４は、下端部が機体に固着された昇降手段（ａ）１０’の上端部に固着されている。そして実施例１と同様に、支持枠７を、移載ベルト５の先端部とトレー３の内底との間隙が広がった分、昇降手段（ａ）１０’で移載ベルト５の後退と連動して下降させる構成である。
【００３９】
また、追従手段は、例えば図１０に示すように、支持具１５にスプリング１２’を装着させて、トレー３の内底を移載ベルト５の先端部に向けて近づける方向に弾性的に付勢させるような構成にしてもよい。
【００４０】
実施例２のような構成とすれば、支持枠７、進退手段８などが搬送コンベヤ１の下側のスペースに収納できるので、実施例１よりも機体をコンパクトにすることができる。
【００４１】
本発明における実施形態について、搬送コンベヤ１から移載ベルト５へスライス肉群Ｍを移載する際は、搬送コンベヤ１の終端部をシャトルコンベヤとしないで、移載ベルト５を図示しない進退手段によって、搬送コンベヤ１によるスライス肉群Ｍの搬送に同期させることで、スライス肉群Ｍが移載ベルト５に移載されるように構成してもよい。
【００４２】
更に、本発明における実施形態は、前述した実施例１、２のような搬送コンベヤ１の終端部から移載ベルト５にスライス肉群Ｍを移載する構成に限定されるものではない。例えば、搬送コンベヤ１上からスライス肉群Ｍを、移載ベルト５を前進させて掬い取ってから、移載ベルト５の先端部を所定の盛付位置にあるトレー３の内底に近接するように移動させ、移載ベルト５を後退させてトレー内に移載し盛り付ける構成であってもよい。
【００４３】
また、移載ベルト５は移動板６に掛け回された無端体とし、無端体の一部を必要に応じて移動板６または支持枠７に一時的に固定できる固定部材を備えた構成であってもよい。
【符号の説明】
【００４４】
１  搬送コンベヤ
３  トレー
５  移載ベルト
７  支持枠
８  進退手段
９  支持具
【図１】
2020040726.tif 000003
【図２】
2020040726.tif 000004
【図３】
2020040726.tif 000005
【図４】
2020040726.tif 000006
【図５】
2020040726.tif 000007
【図６】
2020040726.tif 000008
【図７】
2020040726.tif 000009
【図８】
2020040726.tif 000010
【図９】
2020040726.tif 000011
【図１０】
2020040726.tif 000012